(57)【特許請求の範囲】
【請求項１】
壁表に配置される器具を固定する一対の固定部を備え、壁裏に配置される器具取付体であって、
前記固定部は、前記器具取付体を壁裏に固定又は仮固定した状態で壁表からの器具の取付位置を調整可能とすべく長孔状に形成され、かつ、タッピングビスが強制的に螺入可能な固定孔を備えてなることを特徴とする器具取付体。
【請求項２】
前記固定孔は、前記固定部の対向方向に直交する方向に延びて形成されてなることを特徴とする請求項１に記載の器具取付体。
【請求項３】
周壁に囲まれて中央に器具が収納される収容部を備え、前記周壁のうち固定部の対向方向に直交する方向に形成された少なくとも一方の周壁は、前記収容部と周壁外方と連通すべく開放可能に形成されてなることを特徴とする請求項２に記載の器具取付体。
【請求項４】
周壁に囲まれて中央に器具が収納される収容部を備え、前記収容部の固定部の対向方向に直交する方向の幅は、収容される器具の幅と前記固定孔の長さの和よりも長く形成されており、固定孔により器具の取付位置が調整されても周壁に当たることなく、前記器具を収容部内に収容可能に形成されてなることを特徴とする請求項２に記載の器具取付体。
【請求項５】
壁材に形成された貫通孔から壁裏に配置され、壁表に取り付けられる器具が固定されることで、前記壁材を前記器具とで挟持して固定する器具固定枠であることを特徴とする請求項１〜請求項４のいずれか一項に記載の器具取付体。
【請求項６】
前記器具固定枠は、壁裏に配置した際に壁材に仮固定するための仮固定手段を備えたことを特徴とする請求項５に記載の器具取付体。
【請求項７】
前記器具固定枠は、壁裏に当接する当接面を有し、該当接面には、壁裏に貼着可能な貼着部を備えてなることを特徴とする請求項５又は請求項６に記載の器具取付体。
【請求項８】
前面に開口部を有し、周壁及び底壁により収容部が形成され、壁裏に設置されて、壁材に形成された貫通孔により、前記開口部が壁表に臨まされるボックスであることを特徴とする請求項１〜請求項４のいずれか一項に記載の器具取付体。
【請求項９】
壁裏の造営材である軽量形鋼材への取付部を有し、該取付部は、固定部の対向方向に直交する方向に形成されてなることを特徴とする請求項１〜請求項４又は請求項８のいずれか一項に記載の器具取付体。
【発明の詳細な説明】
【技術分野】
【０００１】
本発明は、壁や天井を形成するパネル材の表側に配設される器具を取り付けるために、パネル材の裏側に配設される器具取付体に関する。
【背景技術】
【０００２】
建物の壁に例えば配線器具を取り付けるための器具取付体として、配線ボックス（特許文献１）や配線器具取付け具（特許文献２）が提案されている。
【０００３】
特許文献１に記載の配線ボックスは、前面に開口部を有し、側壁及び底壁により囲まれた配線器具の収納空間が形成され、対向する側壁には配線器具を固定するための固定部が形成されている。この配線ボックスは、壁材設置前の柱に固定され、壁材が設置されることで壁裏に設置される。その後、壁材に配線ボックスの開口部に対応する位置に貫通孔を形成し、壁裏に配線されるケーブルと配線器具を接続するとともに、配線ボックスの固定部に配線器具を固定して壁表に配線器具が設置される。
【０００４】
また、特許文献２に記載の配線器具取付け具は、中央に配線器具が挿入される貫通部を有する四角枠状に形成され、上下に対向する部分に配線器具を固定するための固定部を有している。さらに、左右に対向する部分に折り曲げ可能に形成された係止片を有している。この配線器具取付枠は、壁材に形成した貫通孔に壁表から挿入して壁裏に配置し、係止片を壁表に向けて折り曲げることで壁材に仮固定される。そして、壁裏に配線されるケーブルと配線器具を接続するとともに、前記固定部に配線器具を固定することにより、配線器具と配線器具取付枠とで壁材を挟持して壁表に配線器具が設置される。
【先行技術文献】
【特許文献】
【０００５】
【特許文献１】特開２００８−２６３７７８号公報
【特許文献２】特開２００４−３２８９８４号公報
【発明の概要】
【発明が解決しようとする課題】
【０００６】
しかしながら、従来の器具取付体（特許文献１の配線ボックス及び特許文献２の配線器具取付け具）は、配線器具の取付位置が、器具取付体の設置場所により決められるものであり、器具取付体に対して配線器具の取付位置を調整することができない。
そのため、特許文献１に記載の器具取付体（配線ボックス）は、壁裏の柱に固定されているため、その位置が配線器具の取付位置とずれていても、その取付位置を調整することが出来ない。
【０００７】
また、特許文献２に記載の器具取付体（配線器具取付け具）は、壁裏に仮固定した位置が配線器具の取付位置とずれていても、その器具取付体に対する配線器具の取付位置を調整できないため、再度取り外して仮固定しなおす必要があった。
【０００８】
本発明は、このような従来の問題点を解決するためになされたものであり、その目的は、壁裏に固定又は仮固定した後の器具取付体に対して、配線器具の取付位置の調整をすることができる器具取付体を提供することにある。
【課題を解決するための手段】
【０００９】
請求項１に記載の発明に係る器具取付体は、
壁表に配置される器具を固定する一対の固定部を備え、壁裏に配置される器具取付体であって、前記固定部は、前記器具取付体を壁裏に固定又は仮固定した状態で壁表からの器具の取付位置を調整可能とすべく長孔状に形成され、かつ、タッピングビスが強制的に螺入可能な固定孔を備えてなることを特徴としている。
【００１０】
請求項２に記載の発明に係る器具取付体は、請求項１の器具取付体において、
前記固定孔は、前記固定部の対向方向に直交する方向に延びて形成されてなることを特徴としている。
【００１１】
請求項３に記載の発明に係る器具取付体は、請求項２に記載の器具取付体において、
周壁に囲まれて中央に器具が収納される収容部を備え、前記周壁のうち固定部の対向方向に直交する方向に形成された少なくとも一方の周壁は、前記収容部と周壁外方と連通すべく開放可能に形成されてなることを特徴としている。
【００１２】
請求項４に記載の発明に係る器具取付体は、請求項３に記載の器具取付体において、
前記収容部の固定部の対向方向に直交する方向の幅は、収容される器具の幅と前記固定孔の長さの和よりも長く形成されており、固定孔により器具の取付位置が調整されても周壁に当たることなく、前記器具を収容部内に収容可能に形成されてなることを特徴とするとしている。
【００１３】
請求項５に記載の発明に係る器具取付体は、請求項１から請求項４のいずれか一項に記載の器具取付体において、
壁材に形成された貫通孔から壁裏に配置され、壁表に取り付けられる器具が固定されることで、前記壁材を前記器具とで挟持して固定する器具固定枠であることを特徴としている。
【００１４】
請求項６に記載の発明に係る器具取付体は、請求項５に記載の器具取付体において、
前記器具固定枠は、壁裏に配置した際に壁材に仮固定するための仮固定手段を備えたことを特徴としている。
【００１５】
請求項７に記載の発明に係る器具取付体は、請求項５又は請求項６に記載の器具取付体において、
前記器具固定枠は、壁裏に当接する当接面を有し、該当接面には、壁裏に貼着可能な貼着部を備えてなることを特徴としている。
【００１６】
請求項８に記載の発明に係る器具取付体は、請求項１から請求項４のいずれか一項に記載の器具取付体において、
前面に開口部し、周壁及び底壁により収容部が形成され、壁裏に設置されて、壁材に形成された貫通孔により、前記開口部が壁表に臨まされるボックスであることを特徴としている。
【００１７】
請求項９に記載の発明に係る器具取付体は、請求項１から請求項４又は請求項８のいずれか一項に記載の器具取付体において、壁裏の造営材である軽量形鋼材への取付部を有し、該取付部は、固定部の対向方向に直交する方向に形成されてなることを特徴としている。
【発明の効果】
【００１８】
この発明によれば、壁裏に固定又は仮固定した器具取付体に対して、器具の取付位置を調整して固定することができる。
【図面の簡単な説明】
【００１９】
【図１】第１実施形態の器具取付体の第１分割体と第２分割体とが分離した状態を示す斜視図。
【図２】第１実施形態の器具取付体の第１分割体と第２分割体とを組み付けた状態を示す斜視図
【図３】第１実施形態の器具取付体の第１分割体に対して第２分割体を回動した状態を示す斜視図
【図４】第１実施形態の器具取付体の第１分割体と第２分割体との連結部分を示す断面図
【図５】第１実施形態の器具取付体を壁裏に配置した状態を示す図
【図６】図５の器具取付体を使用して配線器具を壁表に固定した状態を示す図
【図７】第１実施形態の器具取付体を壁裏に配置した別の状態を示す図
【図８】図７の器具取付体を使用して配線器具を壁表に固定した状態を示す図
【図９】第２実施形態の器具取付体を示す斜視図
【図１０】第２実施形態の器具取付体を示す正面図
【図１１】第３実施形態の器具取付体を軽量間仕切壁内に設置した状態を示す斜視図
【図１２】第３実施形態の器具取付体を示す斜視図
【図１３】第３実施形態の器具取付体を示す正面図
【図１４】第３実施形態の器具取付体を壁裏に配置した状態を示す図
【図１５】図１４の器具取付体を使用して配線器具を固定した状態を示す図
【発明を実施するための形態】
【００２０】
（第１実施形態）
以下、本発明を具体化した器具取付体の第１実施形態を図１〜図８に基づいて説明する。尚、以下の説明において「上」「下」は、図１に示す矢印Ｙ１の方向を上下方向とする。
【００２１】
本実施形態の器具取付体は、壁材に形成された貫通孔から壁裏に配置され、壁表に取り付けられる器具が固定されることで、前記壁材を前記器具とで挟持して固定する器具固定枠である。
【００２２】
図１乃至図３に示すように、器具固定枠１は、周壁に囲まれて中央に器具を収容する収容部１０を有する四角枠状で形成されている。周壁の一辺を開放するように周壁の三辺を構成するコ字状に形成された第１分割体１１と、前記第１分割体１１の開放された一辺を閉塞するように周壁の一辺を構成する第２分割体１２とからなっている。
【００２３】
ここで、第１分割体１１は、対向して配置されて平行に延びる辺を構成する上辺１１１及び下辺１１２と、上辺１１１及び下辺１１２の一端側を連結する側辺１１３とで構成される。上辺１１１の他端は上辺１１１の表面から裏面側に向かって凹む凹部１１４が形成され、該凹部１１４には第２分割体１２を連結するための係合部１１５が形成されている。また、下辺１１２の他端は下辺の裏面から表面側に向かって凹む凹部１１４が形成され、該凹部１１４には第２分割体１２を連結するための被係合部１１６を備えている。上辺１１１及び下辺１１２の凹部１１４は器具固定枠１の厚さの半分の厚さに形成されている。さらに、上辺１１１及び下辺１１２の中央側には、器具を固定する一対の固定部を備え、該固定部にはタッピングビスＢが強制的に螺合する固定孔１１７が形成されている。この固定孔１１７は、上辺１１１及び下辺１１２の中央から上辺１１１及び下辺１１２の他端側に向かって長手方向に沿って延びる長孔状に形成されている。すなわち、固定孔１１７は固定部の対向方向に直交する方向で、且つ、第１分割体１１の周壁が開放された側に向かって延びる長孔状に形成されている。また、上辺１１１及び下辺１１２の固定部１１７の外側には、器具固定枠１を仮固定するための両面テープ等からなる貼着部１１８が設けられている。この貼着部１１８は、器具固定枠１を壁裏に設置した際に、壁材Ｗ１に貼着して壁裏にて落下を防止することができる。
【００２４】
第２分割体１２は、第１分割体１１の上辺１１１及び下辺１１２の他端側を連結するように取付可能に形成されており、第１分割体１１に取り付けられた状態で四角枠状の側辺１２１を構成するようになっている。具体的には、上端側には第２分割体の裏面から表面側に向かって凹む凹部１２２が形成され、該凹部１２２に第１分割体１１に形成された係合部１１５が係合する被係合部１２３が形成されている。また、他端側には第２分割体１２の表面から裏面側に向かって凹む凹部１２２が形成されており、該凹部１２２には第１分割体１１の被係合部１１６に係合する係合部１２４を備えている。上端側及び下端側の凹部１２２は器具固定枠１の厚さの半分の厚さに形成されている。
【００２５】
第１分割体１１及び第２分割体１２に形成された係合部１１５，１２４及び被係合部１１６，１２３は、同一の形状で形成されている。図４に示すように係合部１１５（１２４）は一対の弾性変形可能な弾性片１１５ａ（１２４ａ）を備え、その先端には係合爪１１５ｂ（１２４ｂ）が形成されている。また、被係合部１２３（１１６）は前記係合部１１５（１２４）が挿通可能な透孔１２３ａ（１１６ａ）で形成されており、その透孔１２３ａ（１１６ａ）内には透孔１２３ａ（１１６ａ）の端部から下がった位置に突起１２３ｂ（１１６ｂ）が形成されており、その突起１２３ｂ（１１６ｂ）に前記係合爪１１５ｂ（１２４ｂ）が係合するようになっている。弾性片１１５ａ（１２４ａ）が弾性変形可能に形成されているため、第１分割体１１と第２分割体１２とが着脱可能になっている。また、係合部１１５，１２４及び被係合部１１６，１２３が形成された凹部１１４，１２２は器具固定枠１の半分の厚さで形成されており、連結した状態で第１分割体１１と第２分割体１２の表面及び裏面が器具固定枠全体として面一になっている。そして上側又は下側いずれか一方の被係合部１１６及び係合部１２４（実施例においては下側）の係合を解除することにより、他方の係合部１１５（実施例においては上側）を中心に第１分割体１１に対して第２分割体１２を回動することができるようになっている。そして、第１分割体１１に対して第２分割体１２を回動又は連結を解除することにより、収容部１０と器具固定枠１の周壁外方とが連通するように形成されている。
【００２６】
この器具固定枠１を使用して器具としてのコンセントＣを壁表に固定する方法について説明する。
図５に示すように、壁材Ｗ１の所望位置に方形状の貫通孔Ｗ２を形成した後、器具固定枠１を壁表側から前記貫通孔Ｗ２に挿通して壁裏に配置し、上辺１１１及び下辺１１２に設けられた貼着部１１８により壁材Ｗ１に仮固定する。その後、図６に示すように図示しない壁裏に配線されたケーブルを接続したコンセントＣを壁表に配置し、コンセントＣに形成されたビス孔Ｃ１にタッピングビスＢを挿通して固定孔１１７に螺合することにより、コンセントＣと器具固定枠１とで壁材Ｗ１を挟持して、コンセントＣを壁表に固定することが出来る。
【００２７】
また、図７に示すように、貫通孔Ｗ２に対して位置ずれした状態で器具固定枠１を貼着部１１８により仮固定してしまった場合、第２分割体１２が障害となり、収容部１０に配線器具Ｃを収容することができなくなる。その場合、図８に示すように第１分割体１１と第２分割体１２とを連結する一方の被係合部１１６及び係合部１２４（実施例においては下側）の連結を解除し、他方の係合部１１５（実施例においては上側）を中心に第１分割体１１に対して第２分割体１２を回動し、収容部１０と周壁外方とが連通した状態にすることにより、第２分割体１２が障害となることなくコンセントＣを収容部１０に収容することができる。このとき、固定孔１１７はコンセントＣのビス孔Ｃ１と対応する位置まで延びて形成されており、タッピングビスＢによりコンセントＣを壁表に固定することが出来る。
【００２８】
第１実施形態の器具固定枠１は以下の効果を奏する。
・器具Ｃを固定する一対の固定部としてタッピングビスＢが強制的に螺合する固定孔１１７が形成されている。しかも、固定孔１１７は一対の固定部の対向方向に直交する方向に延びる長孔状に形成されており、壁裏に器具固定枠１を設置した後でも器具Ｃの取付位置を調整することができる。
【００２９】
・器具固定枠１は、第１分割体１１と第２分割体１２とからなり、第１分割体１１に対して第２分割体１２を回動することで、収容部１０と周壁外方を連通させることができ、第２分割体１２が障害となることなく器具Ｃを固定することができる。
【００３０】
・器具固定枠１の表面には、貼着部１１８が設けられているため、器具固定枠１を壁裏に設置した際に、壁材Ｗ１に貼着して仮固定でき、壁裏で器具固定枠１が落下を防止することができる。
【００３１】
・壁裏に器具固定枠１を設置した後でも器具Ｃの取付位置を調整することができるため、貼着部により壁裏に仮固定した位置が位置ずれしていても、貼着部を剥がす必要が無いため、貼着部の貼着強度を落とすことが無く仮固定できる。
【００３２】
尚、第１実施形態の器具固定枠１は以下のように変更してもよい。
・器具固定枠１は第１分割体１１と第２分割体１２との二つの分割体から構成されているが、３つ以上の分割体から構成されていてもよい。
【００３３】
・器具固定枠１は三辺を構成するコ字状の第１分割体１１と一辺を構成する第２分割体１２とから構成されているが、これに限らず、例えば、コ字状に形成された第１分割体と、コ字状に形成された第２分割体とから構成されていてもよい。
【００３４】
・上側に形成された係合部１２４を中心に第１分割体１１に対して第２分割体１２を回動させて収容部１０と周壁外方と連通させていたが、これに限らず、下側の係合部１２４を中心に回動させてもよく、さらには、第１分割体１１から第２分割体１２を取り外してもよい。
【００３５】
・第１分割体１１と第２分割体１２とを連結する係合部１１５，１２４及び被係合部１１６，１２３は、上側と下側の両方において連結を解除に形成していたが、上側、下側のいずれか一方は解除できない構成であってもよい。
【００３６】
・器具固定枠１には、貼着部が設けられていたが、貼着部は設けられてなくてもよい。
【００３７】
・また、壁裏に仮固定する手段として貼着部のかわりに壁裏に突き刺さる突起や貫通孔内に係合する係合爪を形成してもよい。
【００３８】
（第２実施形態）
次に本発明を具体化した器具取付体の第２実施形態を図９〜図１０に基づいて説明する。尚、以下の説明において「上」「下」「左」「右」は、図９に示す矢印Ｙ１の方向を上下方向とし、矢印Ｙ２の方向を左右方向とする。
【００３９】
図９に示すように本実施形態の器具取付体は、第１実施例と同様に、壁材に形成された貫通孔から壁裏に配置され、壁表に取り付けられる器具が固定されることで、前記壁材を前記器具とで挟持して固定する器具固定枠２である。
【００４０】
この器具固定枠２は、上辺２０１、下辺２０２、左辺２０３、右辺２０４で構成される周壁に囲まれて中央に器具を収容する収容部２０を有する四角枠状で形成されている。尚、第２実施形態の器具取付枠は、第１実施形態の器具取付枠のように分割体により分割されておらず、１つの部材から構成されている。
【００４１】
上辺２０１及び下辺２０２の中央側には器具Ｃを固定するための固定部を備え、該固定部にはタッピングビスＢが強制的に螺合する固定孔２０５が形成されている。この固定孔２０５は、左右方向、すなわち、固定部の対向方向に直交する方向に延びる長孔状に形成されている。また、固定孔２０５は中央部分で連結部２０５ａにより連結されることで長手方向に二つに分割されている。このように固定孔２０５が分割されていても、器具Ｃに形成されたビス孔Ｃ１が長孔で形成されており、分割された固定孔２０５のいずれかにタッピングビスＢが強制的に螺合させることができる。また、連結部２０５ａにより連結されていることにより、固定孔２０５にタッピングビスＢが強制的に螺合されても、固定孔２０５が開くことなく確実にタッピングビスＢを螺合することができる。
【００４２】
また、器具Ｃが固定孔２０５の何れの場所において固定されても周壁に当たることなく取り付けできるように、収容部２０の固定部が対向する方向に直交する幅（左辺２０３と右辺２０４との間の幅）は、収容される器具Ｃの幅と前記固定孔２０５の長さの和よりも長く形成されている。言い換えると固定孔２０５の両端部から収容される器具Ｃの幅の半分より離れた位置に周壁の左辺２０３及び右辺２０４が形成されている。
【００４３】
尚、図中の２０６は、器具に接続されるケーブルが挿通される管をバインド線等で縛って固定するための配管固定部である。
【００４４】
この器具固定枠２を使用して器具を壁に固定するには、第１実施形態と同様に固定することができる。すなわち、壁材の所望位置に方形状の貫通孔を形成した後、器具固定枠２を壁表側から前記貫通孔に挿通して壁裏に配置し、その後、壁裏に配線されたケーブルを接続した器具Ｃを壁表に配置し、器具Ｃに形成されたビス孔Ｃ１にタッピングビスＢを挿通して固定孔２０５に螺合することにより、器具Ｃと器具固定枠２とで壁材を挟持して、器具Ｃを壁表に固定することが出来る。尚、第１実施形態では、器具Ｃの取付位置によっては周壁が障害となることがあったが、第２実施形態においては、周壁が障害となることなく器具Ｃを収容空間２０に収容して固定できる。
【００４５】
第２実施形態の器具固定枠２は以下の効果を奏する。
・器具Ｃを固定する一対の固定部としてタッピングビスＢが強制的に螺合する固定孔２０５が形成されている。しかも、固定孔２０５は一対の固定部の対向方向に直交する方向に延びる長孔状に形成されており、壁裏に器具固定枠２を設置した後でも器具Ｃの取付位置を調整することができる。
【００４６】
・器具固定枠２は、第１実施形態のように第１分割体１１と第２分割体１２と構成されておらず、１つの部材で構成されているため、枠自身の強度を高めることが出来、器具の固定も強固にすることができる。
【００４７】
・固定孔２０５が複数に分割するように中央部分で連結部２０５ａにより連結されているため、固定孔２０５にタッピングビスＢを強制的に螺合しても、固定孔２０５が広がることない。したがって、器具Ｃを確実に強固に固定することができる。
【００４８】
尚、第２実施形態の器具固定枠２は以下のように変更してもよい。
・固定孔２０５は中央部分で連結部２０５ａにより連結されて長手方向に二つに分割されているが、連結部２０５ａを複数箇所に形成して、固定孔２０５を複数に分割してもよく、さらには分割されていなくてもよい。
・配管固定部２０６は形成されていなくてもよい。
【００４９】
・壁裏に仮固定するための手段として、両面テープ等からなる貼着部や壁裏に突き刺さる突起や貫通孔内に係合する係合爪を設けてもよい。
【００５０】
（第３実施形態）
次に本発明を具体化した器具取付体の第３実施形態を図１１〜図１５に基づいて説明する。尚、以下の説明において「上」「下」「左」「右」「前」「後」は、図１２に示す矢印Ｙ１の方向を上下方向とし、矢印Ｙ２の方向を左右方向とし、矢印Ｙ３の方向を前後とする。
【００５１】
図１１に示すように本実施形態の器具取付体は、軽量間仕切壁内に設置されるものであって、前面に開口部を有する有底箱状に形成されており、壁材が設置される前に壁裏の造営材である軽量形鋼材に固定され、壁材の設置後に壁材に形成された貫通孔により、前記開口が壁表に臨まされるボックス３である。
【００５２】
まず、軽量間仕切壁Ｗについて説明する。図１１に示すように、軽量間仕切壁Ｗは、天井（図示せず）と床（図示せず）に固定される上下一対のランナーＲと、該ランナーＲ間に所定間隔で立設された複数の軽量形鋼材Ｓと、隣り合う軽量形鋼材Ｓを連結すべく複数の軽量形鋼材Ｓを貫通して該軽量形鋼材Ｓに固定される振れ止め材Ｆと、前記軽量形鋼材Ｓ及び前記ランナーＲに固定されることで立設される壁材Ｗ１とから構築されている。前記壁材Ｗ１は、一般的に使用される石膏ボードが用いられる。前記ランナーＲは長尺状をなすとともに、ランナーＲの長さ方向に対して直交する断面視がコ字状をなし、長さ方向へ延びる開口を有する。そして、ランナーＲが天井と床それぞれに固定された状態では、両ランナーＲの開口が互いに対向している。
【００５３】
前記軽量形鋼材Ｓは、薄鋼板からなり、軽量形鋼材Ｓの立設方向（長さ方向）に対して直交する方向への平断面視が略Ｃ字状をなすリップ溝型型鋼である。軽量形鋼材Ｓは、立設方向に延びる開口部と、該開口部に相対向する背面板部と、該背面板部を挟む一対の側板部とからなる。また、前記開口部は、前記一対の側板部から延設された相対向する一対のリップ部の間に形成されているとともに、各リップ部は前記背面板部と相対向している。また、前記背面板部には、振れ止め材Ｆを挿通するための貫通孔が長さ方向に所定間隔をおいて複数形成されている。
【００５４】
そして、軽量間仕切壁Ｗを構築するには、まず、天井と床に固定された上下各ランナーＲの内側へ軽量形鋼材Ｓの上端部及び下端部をそれぞれ挿入し、ランナーＲを用いて軽量形鋼材Ｓを立設する。このとき、軽量形鋼材ＳはランナーＲに対して固定されず、該ランナーＲの長さ方向へスライド移動可能になっている。次に、壁材Ｗ１の上下方向へ延びる両側縁部及び該両側縁部間の中央部に軽量形鋼材Ｓが位置するように軽量形鋼材ＳをランナーＲに沿ってスライド移動させた後、壁材Ｗ１をビスによってランナーＲに固定するとともに、壁材Ｗ１と軽量形鋼材Ｓとをビスによって固定すると、軽量間仕切壁Ｗが構築される。
【００５５】
軽量形鋼材Ｓには、壁表にスイッチ、コンセント等の配線器具を固定するためのボックスＢが固定される。このボックス３は、ビス等により直接又はボックス固定具を介して間接的に軽量形鋼材Ｓに取り付けることができる。また、前記配線器具に接続するためのケーブルＣをボックス３内に引き込んである。
【００５６】
図１２及び図１３に示すように、このボックス３は、上側壁３０１、下側壁３０２、左側壁３０３、右側壁３０４により構成される周壁と底壁３０５とで囲まれた収容部３０を有する有底四角箱状に形成されている。
【００５７】
上側壁３０１、下側壁３０２、底壁３０５には、壁裏に配線されるケーブルを収容部３０内に引き込むための引込孔３０６を複数備えている。この引込孔３０６はノックアウト３０６ａにより閉塞されており、ケーブルの引込み量により必要に応じて打ち抜いて使用される。
【００５８】
上側壁３０１及び下側壁３０２には、固定部３０８として収容部３０内に突出する突出部を備えている。この突出部には、タッピングビスＢが強制的に螺合可能な固定孔を備えている。この固定孔は左右方向、すなわち、固定部３０８の対向方向に直交する方向に延びる長孔状に形成されている。また、固定孔は連結部３０８ａにより複数に分割されており、連結部２０８ａで分割された固定孔のうち、両端部に位置する固定孔３０８ｂ及び中央に位置する固定孔３０８ｃは円孔に形成され、固定孔３０８ｂと固定孔３０８ｃの間の固定孔３０８ｄは長孔に形成されている。このように固定孔が分割されていても、器具Ｃに形成されたビス孔Ｃ１が長孔で形成されており、分割された固定孔３０８ｂ，３０８ｃ，３０８ｄのいずれかにタッピングビスＢが強制的に螺合させることができる。尚、両端部に位置する固定孔３０８ｂの間隔は器具Ｃが並設して取付可能な間隔で形成されている。
【００５９】
前記固定部３０８が対向する方向に直交する方向に位置する左側壁３０３及び右側壁３０４には、壁裏の軽量形鋼材Ｓに取り付けるための取付部としてビスが挿通される挿通孔３０７を備えている。この挿通孔３０７は前後方向に延びる長孔で形成されており、左側壁３０３には上下方向に３箇所、右側壁３０４には上下方向に２箇所形成されている。尚、左側壁３０３には、外方に突出形成され、前記造営材に当接する当接面を備えた台座３０３ａを備えている。
【００６０】
また、固定部３０８が対向する方向に直交する収容部３０の幅（左側壁３０３と右側壁３０４との間の幅）は、収容される器具Ｃの幅と前記固定孔の長さの和よりも長く形成されており、固定孔３０８ｂ，３０８ｃ，３０８ｄのどの位置に器具Ｃが固定されても、左側壁３０３又は右側壁３０４に当たることなく、収容部３０内に器具Ｃが収容可能な幅に形成されている。すなわち、両端部に位置する固定孔３０８ｂのいずれかに器具Ｃが固定されても、器具Ｃが収容部内に収容可能な大きさに形成されている。
【００６１】
このボックス３を使用して器具としてのコンセントＣを壁表に固定する方法について図１４及び図１５に基づいて説明する。壁材Ｗが設置される前に軽量形鋼材Ｓに左側壁又は右側壁に形成された挿通孔にビスを挿通して取り付ける。壁材Ｗが設置された後、壁裏にあるボックス３の位置を測定するとともに器具Ｃを固定する位置において壁材に貫通孔を形成してボックス３の前面を壁表に臨ませる。その後、収容部内に引き込まれたケーブルを接続した器具Ｃを壁表に配置し、器具Ｃに形成されたビス孔Ｃ１にタッピングビスＢを挿通して固定孔３０８ｂ，３０８ｃ，３０８ｄ（実施例では３０８ｄ）に螺合することにより、器具Ｃを壁表に固定することが出来る。尚、ボックス３の位置は、軽量間仕切壁Ｗの構築時にランナーの長手方向に沿って軽量形鋼材Ｓがスライドされることにより壁材Ｗの設置前に取り付けた位置から左右方向に移動していることがあるが、固定孔が左右方向に延びて形成されているため、コンセントＣを固定することができる。
【００６２】
第３実施形態のボックス３は以下の効果を奏する。
・器具を固定する固定孔が一対の固定部３０８の対向方向に直交する方向に延びる長孔状に形成されているため、器具Ｃの取付位置を調整して壁に器具を固定することができる。軽量形鋼材がスライドされることによりボックスの位置が移動していたり、ボックスが壁材に隠れた状態で壁材に貫通孔を形成することにより、貫通孔とボックスの位置がずれることがあるが、その場合でも器具を壁に固定することができる。
【００６３】
・固定孔が連結部３０８ａにより複数に分割されているため、固定孔にタッピングビスＢを強制的に螺合しても、固定孔３０８が広がることなく、確実に器具を固定することができる。
【００６４】
尚、第３実施形態のボックス３は以下のように変更してもよい。
・固定孔は長手方向に複数に分割されているが固定部３０８の強度があれば分割されていなくてもよい。
【００６５】
・ボックス３が固定される造営材として軽量形鋼材で説明したが、木柱や胴縁であってもよく、壁裏に設置される造営材であればよい。
【００６６】
・前面に開口部を有する有底箱状に形成されたボックス３で説明したが、両面に開口する枠状に形成されていてもよい。
【００６７】
・左側壁３０３と右側壁３０４との間の幅は、器具が固定孔のどの位置に固定されても障害とならない幅で形成されているが、器具の取り付け時に障害となる部分が除去可能な構成を備えていれば、そのような幅で形成されてなくてもよい。
【００６８】
また、各実施形態において、固定される器具としてコンセントを例に説明したが、コンセントに限らず、スイッチや報知器等の壁材に固定される器具であればよい。
【００６９】
各実施形態において、器具を一つ設置する場合に用いられる器具取付体に適用したが、これに限らず、器具枠を壁に二つ以上並設する場合に用いられる器具取付体に適用してもよい。
【符号の説明】
【００７０】
Ｂ…タッピングビス、Ｗ…壁、Ｗ１…壁材、Ｗ２…貫通孔、Ｃ…器具としてのコンセント、Ｃ１…ビス孔、１…器具取付体としての器具固定枠、１０…収容部、１１７…固定部としての固定孔、１１８…貼着部、２…器具取付体としての器具固定枠、２０…収容部、２０５…固定部としての固定孔、３…器具取付体としてのボックス、３０…収容部、３０８…固定部としての固定孔
【図１】
0005769949.tif 000002
【図２】
0005769949.tif 000003
【図３】
0005769949.tif 000004
【図４】
0005769949.tif 000005
【図５】
0005769949.tif 000006
【図６】
0005769949.tif 000007
【図７】
0005769949.tif 000008
【図８】
0005769949.tif 000009
【図９】
0005769949.tif 000010
【図１０】
0005769949.tif 000011
【図１１】
0005769949.tif 000012
【図１２】
0005769949.tif 000013
【図１３】
0005769949.tif 000014
【図１４】
0005769949.tif 000015
【図１５】
0005769949.tif 000016